(57)【特許請求の範囲】
【請求項１】
地表面において固定対象物を固定するためのペグであって、
地中に埋め込まれる棒状の軸部と、
前記軸部に設けられ、前記地表面よりも上方に配置される回転軸部と、
前記回転軸部が挿通される貫通孔を有し、周方向に回転可能に構成された環状部と、
前記環状部に設けられ、前記固定対象物に結合される結合部と、
前記環状部よりも上方における前記軸部の上端部に着脱自在に螺合して同上端部に締め付けられることで前記環状部の前記軸部からの抜けを防止しつつ前記軸部を周方向に回転させるための回転力が入力される入力部とを備える、ペグ。
【請求項２】
地表面において固定対象物を固定するためのペグであって、
地中に埋め込まれる棒状の軸部と、
前記軸部に設けられ、前記地表面よりも上方に配置される回転軸部と、
前記回転軸部が挿通される貫通孔を有し、周方向に回転可能に構成された環状部と、
前記環状部に設けられ、前記固定対象物に結合される結合部と、
前記環状部よりも上方における前記軸部の上端部に設けられ、前記軸部を周方向に回転させるための回転力が入力される入力部とを備え、
前記軸部には、螺旋状に形成された掘削羽根が設けられており、
前記入力部は、前記軸部に対してねじ接合されており、
前記入力部を前記軸部に対してねじ込むための前記入力部の回転方向は、前記軸部を地中に埋め込むための前記掘削羽根の回転方向と一致している、ペグ。
【請求項３】
前記軸部が地中に埋め込まれたとき、
前記環状部における外周部の下面が前記地表面と直接対向する、請求項１または２に記載のペグ。
【請求項４】
前記回転軸部の外周面と前記貫通孔の内周面との間には前記環状部および前記結合部を軸部に対して直交する方向に位置調整し得る程度の隙間が設けられている、請求項１ないし３のいずれか１項に記載のペグ。
【請求項５】
前記入力部には、前記環状部に対して上方から対向する上側対向部が設けられており、
前記軸部には、前記環状部に対して下方から対向する下側対向部が設けられている、請求項１ないし４のいずれか１項に記載のペグ。
【請求項６】
前記入力部と前記上側対向部とが一体的に形成されている、請求項５に記載のペグ。
【請求項７】
前記結合部はフック状に形成されている、請求項１ないし６のいずれか１項に記載のペグ。
【請求項８】
前記結合部は環状に形成されている、請求項１ないし６のいずれか１項に記載のペグ。
【請求項９】
前記環状部には、地中に挿し込まれることで同環状部の回転可能な状態を規制して位置を固定する挿込み部が設けられている、請求項１ないし８のいずれか１項に記載のペグ。
【発明の詳細な説明】
【技術分野】
【０００１】
本発明は、サッカーゴールおよびテント用張り綱等の固定対象物を地表面において固定するためのペグに関する。
【背景技術】
【０００２】
特許文献１には、携帯型無線機用空中線柱のステーを張るためのステー用アンカーが記載されている。このステー用アンカーは、螺旋部が設けられた杭体を備えており、杭体の上端部には、ステー通し孔が設けられた環が回転自在に嵌められている。また、杭体における環の上方に位置する部分には、頭が設けられており、環の下方に位置する部分には、孔が設けられている。杭体を地中に埋め込むときには、ハンマー等で頭が叩かれて杭体が地中に打ち込まれる。杭体を地中から抜くときには、廻し棒が孔に挿入され、廻し棒とともに杭体が回転されて、螺旋部の推進作用で杭体が抜かれる。
【先行技術文献】
【特許文献】
【０００３】
【特許文献１】実用新案出願公告昭２９−４４３４号公報
【０００４】
特許文献１に記載されたステー用アンカーでは、杭体を地中に打ち込むときに、孔の位置が地表面よりも下方にならないように注意しなければならず、孔の位置を確認しながら杭体を打ち込む作業が面倒であった。また、杭体を地中から抜くときには、廻し棒を孔に挿入して回転させなければならず、その作業が面倒であった。さらに、廻し棒が環の下方の地表面近くに配置されるため、特に、地表面に起伏や雑草等の障害物が存在する場合には、廻し棒を回転させることが困難であった。
【発明の概要】
【０００５】
本発明は、上記問題に対処するためになされたものであり、軸部を地中に埋め込んだり、地中から抜いたりするときの作業性を向上できるペグを提供することを目的とする。
【０００６】
上記目的を達成するため、本発明に係るペグの特徴は、地表面において固定対象物を固定するためのペグであって、地中に埋め込まれる棒状の軸部と、前記軸部に設けられ、前記地表面よりも上方に配置される回転軸部と、前記回転軸部が挿通される貫通孔を有し、周方向に回転可能に構成された環状部と、前記環状部に設けられ、前記固定対象物に結合される結合部と、前記環状部よりも上方における前記軸部の上端部に着脱自在に螺合して同上端部に締め付けられることで前記環状部の前記軸部からの抜けを防止しつつ前記軸部を周方向に回転させるための回転力が入力される入力部とを備えることにある。
【０００７】
この構成では、入力部が環状部よりも上方に設けられているので、軸部を地中に埋め込むときには、入力部の位置を確認し易い。また、入力部を地表面から上方に離間して配置できるので、地表面に起伏や雑草等が存在する場合でも、これらが入力部を回転させる作業の妨げになり難い。したがって、軸部を地中に埋め込んだり、地中から抜いたりするときの作業性を向上できる。
【０００８】
上記目的を達成するため、本発明に係るペグの特徴は、地表面において固定対象物を固定するためのペグであって、地中に埋め込まれる棒状の軸部と、前記軸部に設けられ、前記地表面よりも上方に配置される回転軸部と、前記回転軸部が挿通される貫通孔を有し、周方向に回転可能に構成された環状部と、前記環状部に設けられ、前記固定対象物に結合される結合部と、前記環状部よりも上方における前記軸部の上端部に設けられ、前記軸部を周方向に回転させるための回転力が入力される入力部とを備え、前記軸部には、螺旋状に形成された掘削羽根が設けられており、前記入力部は、前記軸部に対してねじ接合されており、前記入力部を前記軸部に対してねじ込むための前記入力部の回転方向は、前記軸部を地中に埋め込むための前記掘削羽根の回転方向と一致していることにある。
【０００９】
この構成では、入力部が環状部よりも上方に設けられているので、軸部を地中に埋め込むときには、入力部の位置を確認し易い。また、入力部を地表面から上方に離間して配置できるので、地表面に起伏や雑草等が存在する場合でも、これらが入力部を回転させる作業の妨げになり難い。したがって、軸部を地中に埋め込んだり、地中から抜いたりするときの作業性を向上できる。また、この構成では、軸部と入力部とを別々に形成できるので、これらの構成を簡素化して安価に製造できる。また、入力部を軸部に対してねじ込むための入力部の回転方向と、軸部を地中に埋め込むための掘削羽根の回転方向とが一致しているので、掘削羽根を回転させるための入力部を特別に設ける必要がなく、安価に製造できる。
【００１０】
本発明の他の特徴は、前記軸部が地中に埋め込まれたとき、前記環状部における外周部の下面が前記地表面と直接対向することにある。
【００１１】
この構成では、環状部における外周部の下面と地表面との間にスペーサーを挟み込むことによって、環状部の回転を防止でき、結合部の位置を固定できる。また、環状部における外周部の下面が地表面に接触する場合には、スペーサーを用いなくても結合部の位置を固定できる。
【００１２】
本発明の他の特徴は、前記回転軸部の外周面と前記貫通孔の内周面との間には前記環状部および前記結合部を軸部に対して直交する方向に位置調整し得る程度の隙間が設けられていることにある。
【００１３】
この構成では、軸部の上端部の外周面と貫通孔の内周面との間に設けられた隙間を利用して、軸部に対して直交する方向における環状部および結合部の位置を調整できる。
【００１４】
本発明の他の特徴は、前記入力部には、前記環状部に対して上方から対向する上側対向部が設けられており、前記軸部には、前記環状部に対して下方から対向する下側対向部が設けられていることにある。
【００１５】
この構成では、上側対向部と下側対向部とによって、環状部の軸方向への移動を阻止できるので、環状部が軸部から脱落することを防止できる。
【００１６】
本発明の他の特徴は、前記入力部と前記上側対向部とが一体的に形成されていることにある。
【００１７】
この構成では、部品点数を少なくして安価に製造できるとともに、組立作業の作業性を良好にすることができる。
【００１８】
前記結合部はフック状に形成されていてもよいし、環状に形成されていてもよい。また、前記環状部には、地中に挿し込まれる挿込み部が設けられていてもよい。
【図面の簡単な説明】
【００１９】
【図１】本発明の一実施形態に係るペグの構成を示す斜視図である。
【図２】本発明の一実施形態に係るペグの構成を示す正面図である。
【図３】本発明の一実施形態に係るペグの構成を示す背面図である。
【図４】ペグの主要部の構成を示す分解斜視図である。
【図５】ペグの組立て工程を示す斜視図である。
【図６】他の実施形態に係るペグの主要部の構成を示す正面図である。
【図７】他の実施形態に係るペグの主要部の構成を示す正面図である。
【図８】他の実施形態に係るペグの主要部の構成を示す図であり、（Ａ）は平面図、（Ｂ）は正面図である。
【図９】他の実施形態に係るペグの主要部の構成を示す平面図である。
【図１０】他の実施形態に係るペグの主要部の構成を示す分解斜視図である。
【発明を実施するための形態】
【００２０】
以下、本発明に係るペグの実施形態について図面を参照しながら説明する。
【００２１】
図１は、本発明の一実施形態に係るペグ１０の構成を示す斜視図である。図２は、ペグ１０の構成を示す正面図であり、図３は、ペグ１０の構成を示す背面図である。図２に示すように、ペグ１０は、固定対象物１２を地表面Ｇにおいて固定するためのものである。図２に示す固定対象物１２は、パイプ部１２ａを有するサッカーゴールであり、ペグ１０は、パイプ部１２ａの上部を上方から押さえることができるように構成されている。なお、固定対象物１２は、サッカーゴールに限定されるものではなく、テント用張り綱やペット用引き綱等であってもよい。固定対象物１２がテント用張り綱やペット用引き綱である場合には、これらを上方から押さえる必要はなく、これらに設けられた環状の部分がペグ１０に引っ掛けられてもよい。
【００２２】
図１に示すように、ペグ１０は、軸部１４と、掘削羽根１６と、環状部１８と、結合部２０と、入力部２２とを備えている。本実施形態では、これらが鉄またはアルミニウム等の金属で形成されているが、これらは合成樹脂で形成されてもよい。
【００２３】
図２に示すように、軸部１４は、地表面Ｇよりも上方に上端部１４ａを残して地中に埋め込まれる棒状の部材である。軸部１４の断面形状は円形であり、軸部１４の下端部１４ｂは、下方に向かうにつれて直径が小さくなるように尖って形成されている。
【００２４】
図２に示すように、掘削羽根１６は、軸部１４の外周部に螺旋状に設けられている。この掘削羽根１６は、第１部分１６ａ、第２部分１６ｂおよび第３部分１６ｃに区分けされており、これらの直径は、下方から上方に向けて段階的に拡大するようにＤ１、Ｄ２およびＤ３（Ｄ１＜Ｄ２＜Ｄ３）とされている。第１部分１６ａ、第２部分１６ｂおよび第３部分１６ｃの巻き数は、いずれも２周以上とされている。図２および図３に示すように、第１部分１６ａと第２部分１６ｂとの境界部および第２部分１６ｂと第３部分１６ｃとの境界部には、掘削羽根１６の直径が急拡大するように段差部２４ａ，２４ｂが形成されている。本実施形態では、掘削羽根１６が削り出しによって軸部１４と一体的に形成されているが、個別に形成された掘削羽根１６が軸部１４に対して溶接等で接続されてもよい。
【００２５】
図４は、ペグ１０の主要部の構成を示す分解斜視図である。図４に示すように、軸部１４は、掘削羽根１６（図１）が設けられた本体部２６と、本体部２６の上端から上方に延びて形成された回転軸部２８と、回転軸部２８の上端から上方に延びて形成された突出部３０とを有している。つまり、軸部１４の上端部１４ａには、回転軸部２８と突出部３０とが設けられている。
【００２６】
図４に示すように、回転軸部２８は、環状部１８を回転させるための回転軸となる円柱状の部分である。突出部３０は、環状部１８から上方に突出する部分であり、突出部３０の外周面には、雄ねじ３２が形成されている。回転軸部２８の直径Ｗ１は、本体部２６の上端部の直径Ｗ２よりも小さく、かつ、突出部３０の直径Ｗ３よりも大きくされている。これにより、回転軸部２８の下端部には、環状部１８に対して下方から対向する段状の下側対向部３４が設けられており、突出部３０の下端部には、入力部２２が下方へ移動することを阻止するための段状のストッパー部３６が設けられている。
【００２７】
図４に示すように、環状部１８は、軸部１４の上端部１４ａが挿通される貫通孔４０を有している。環状部１８の内径（すなわち貫通孔４０の直径）Ｗ４は、回転軸部２８の直径Ｗ１よりも大きく、かつ、本体部２６の直径Ｗ２よりも小さくされている。また、環状部１８の上下方向長さＨ１は、回転軸部２８の上下方向長さＨ２よりも短くされている。つまり、環状部１８は、回転軸部２８の周囲において周方向に回転可能に構成されている。
【００２８】
環状部１８の内径Ｗ４と回転軸部２８の直径Ｗ１との寸法差（Ｗ４−Ｗ１）は、１〜６ｍｍ程度に定められている。これにより、回転軸部２８の外周面（すなわち上端部１４ａの外周面）と貫通孔４０の内周面との間には、軸部１４に対して直交する方向における環状部１８の位置を調整するための隙間Ｓ（図５）が確保されている。また、環状部１８の外径Ｗ５と掘削羽根１６における第３部分１６ｃ（図２）の直径Ｄ３との寸法差（Ｗ５−Ｄ３）は、１５〜３０ｍｍ程度に定められている。これにより、軸部１４が地中に埋め込まれたときには、図２に示すように、環状部１８における外周部１８ａの下面が地表面Ｇと直接対向する。
【００２９】
図４に示すように、結合部２０は、固定対象物１２（図２）に結合される部分である。本実施形態の結合部２０は、固定対象物１２のパイプ部１２ａの上部を上方から押さえることができるように、上方に向けて凸となる湾曲部４２を有するフック状に形成されている。そして、結合部２０の基端部２０ａが環状部１８の外周部１８ａに溶接等によって接続されている。結合部２０の先端部２０ｂの端面（以下、「先端面」という。）２０ｃは、環状部１８の下面よりも上方に配置されている。なお、本発明の説明で用いる「結合」の語は、広い意味を有しており、固定対象物１２の一部を上方から押さえることは「結合」の一態様に過ぎない。例えば、固定対象物１２の一部に単に引っ掛けられる場合や、固定対象物１２に紐や針金等で接続される場合も「結合」に含まれる。
【００３０】
図４に示すように、入力部２２は、軸部１４を周方向に回転させるための回転力が入力される部分である。本実施形態の入力部２２は、一般的な座金付ナットであり、平面視で六角形のナット本体４４と、平面視で円形の座金部４６とを有している。ナット本体４４には、貫通孔４８が形成されており、貫通孔４８の内周面には、突出部３０の雄ねじ３２が螺合される雌ねじ５０が形成されている。座金部４６は、環状部１８に対して上方から対向する上側対向部５２と、ストッパー部３６に対して上方から対向する対向部５４とを有している。対向部５４がストッパー部３６に当接されることによって、軸部１４に対する入力部２２の下方への移動が阻止される。本実施形態では、入力部２２と上側対向部５２と対向部５４とが一体的に形成されているが、これらは別々に形成されてもよい。例えば、「入力部」となるナットと、「上側対向部」および「対向部」となる座金とを別々に形成し、これらをセットで用いるようにしてもよい。
【００３１】
入力部２２を突出部３０に対して下方へ移動させるための入力部２２の回転方向は、軸部１４を地中に埋め込むための掘削羽根１６の回転方向と一致している。したがって、入力部２２を下方へ移動させる方向に回転させることによって、軸部１４を地中に埋め込んでいくことができる。
【００３２】
図５は、ペグ１０の組立て工程を示す斜視図である。図５に示すように、ペグ１０を組み立てる際には、まず、環状部１８を軸部１４の上端部１４ａに嵌め合わせて、これを回転軸部２８の周囲に配置する。続いて、突出部３０に形成された雄ねじ３２に対して、入力部２２に形成された雌ねじ５０を螺合し、ボックスレンチ等のような工具５６で入力部２２を回転させることによって、入力部２２（雌ねじ５０）を軸部１４（雄ねじ３２）にねじ込んでいく。すると、入力部２２が突出部３０に対して下方に移動され、入力部２２の対向部５４がストッパー部３６に当接される。その状態から入力部２２をさらに回転させると、その回転力が軸部１４に伝達され、軸部１４および掘削羽根１６（図１）が回転される。入力部２２の対向部５４がストッパー部３６に当接された状態において、環状部１８の上下方向両側には、上側対向部５２および下側対向部３４（図４）が配置されている。なお、この場合、雄ねじ３２と雌ねじ５０とは、図示しないナットロック（接着剤）によって互いに固着されている。
【００３３】
図２に示すように、ペグ１０を用いて固定対象物１２を固定する際には、まず、固定対象物１２について固定すべき箇所を確認し、その箇所の近傍においてペグ１０の埋め込み位置Ｐを決定する。続いて、埋め込み位置Ｐに軸部１４の下端部１４ｂを配置し、軸部１４または入力部２２をハンマー等（図示省略）で上方から叩いて、軸部１４の下端部１４ｂを地中に埋め込む。その後、入力部２２に工具５６（図５）を装着し、この工具５６を回転操作することによって入力部２２を回転させる。すると、軸部１４および掘削羽根１６が回転しながら地中に埋め込まれていく。このとき、結合部２０がパイプ部１２ａからずれて配置されていると、結合部２０でパイプ部１２ａを押さえることができないので、環状部１８を回動させたり、軸方向に対して直交する方向に移動させることによって結合部２０の位置を調整する。結合部２０の湾曲部４２がパイプ部１２ａに当接すると、工具５６（図５）の回転操作を停止して、入力部２２から工具５６を取り外す。ペグ１０を抜くときには、工具５６で入力部２２を逆方向に回転させる。
【００３４】
本実施形態によれば、上記構成により以下の各効果を奏することができる。すなわち、図２に示すように、入力部２２が環状部１８よりも上方に設けられているので、軸部１４を地中に埋め込むときには、入力部２２の位置を確認し易い。また、入力部２２を地表面Ｇから上方に離間して配置できるので、地表面Ｇに起伏や雑草等が存在する場合でも、これらが入力部２２を回転させる作業の妨げになり難い。
【００３５】
図２に示すように、軸部１４が地中に埋め込まれたとき、環状部１８における外周部１８ａの下面が地表面Ｇと直接対向するので、外周部１８ａの下面と地表面Ｇとの間にスペーサー（図示省略）を挟み込むことによって、環状部１８の回転を防止でき、結合部２０の位置を固定できる。また、パイプ部１２ａの直径が小さい場合（図示省略）には、環状部１８における外周部１８ａの下面を地表面Ｇに接触させることができるので、スペーサーを用いなくても結合部２０の位置を固定できる。
【００３６】
図５に示すように、軸部１４の上端部１４ａの外周面と貫通孔４０の内周面との間に隙間Ｓが設けられているので、この隙間Ｓを利用して、軸部１４に対して直交する方向における環状部１８および結合部２０の位置を調整できる。
【００３７】
図４に示すように、軸部１４には、環状部１８に対して上方から対向する上側対向部５２と、環状部１８に対して下方から対向する下側対向部３４とが設けられているので、軸部１４の軸方向において環状部１８を位置決めできる。また、入力部２２と上側対向部５２とが一体的に形成されているので、部品点数を少なくして安価に製造できるとともに、組立作業性を向上させることができる。
【００３８】
図５に示すように、軸部１４と入力部２２とを別々に形成しているので、これらの構成を簡素化して安価に製造できる。また、入力部２２（雌ねじ５０）を軸部１４（雄ねじ３２）に対してねじ込むための入力部２２の回転方向と、軸部１４を地中に埋め込むための掘削羽根１６（図１）の回転方向とが一致しているので、掘削羽根１６を回転させるための入力部を特別に設ける必要がなく、安価に製造できる。
【００３９】
なお、本発明の実施にあたっては、上記実施形態に限定されず、本発明の目的を逸脱しない限りにおいて種々の変更が可能である。例えば、上述の実施形態では、固定対象物１２を固定したときに、環状部１８が地表面Ｇから離れて配置されているが、図６に示す他の実施形態のように、結合部５７における基端部５７ａの環状部１８との接続部分を上方に直線状に延ばすことによって、環状部１８が地表面Ｇに接触するようにしてもよい。
【００４０】
また、上記実施形態では、結合部２０の先端面２０ｃ（図２）が環状部１８の下面よりも上方に配置されているが、図７に示す他の実施形態のように、結合部５８の先端面５８ｃは、環状部１８の下面よりも下方に配置されていてもよい。この実施形態では、結合部５８の先端部５８ｂを地中に挿し込むことができるので、結合部５８の位置を固定できるとともに、結合部５８の開口５８ｄを地表面Ｇで塞ぐことができる。また、図８（Ａ），（Ｂ）に示す他の実施形態のように、環状部６０には、地中に挿し込まれる挿込み部６２が、結合部６４とは別に設けられてもよい。さらに、結合部６４は、環状に形成されてもよい。結合部を環状に形成する場合には、図９に示す他の実施形態のように、Ｕ字形状の結合部６６の両端部６６ａ，６６ｂを環状部６８に接続してもよい。つまり、Ｕ字形状の結合部６６と環状部６８とによって、環状の結合部を形成してもよい。
【００４１】
固定対象物１２がテント用張り綱やペット用引き綱である場合には、これらが結合部から離脱することを防止するために、開口５８ｄが地表面Ｇで塞がれた結合部５８（図７）や、環状に形成された結合部６４（図８（Ａ），（Ｂ））や、開口６６ｄが環状部６８で塞がれた結合部６６（図９）を用いることが望ましい。
【００４２】
さらに、上述の実施形態では、入力部２２が雌ねじ５０を有するナットで構成されているが、図１０に示す他の実施形態のように、入力部７０が雄ねじ７２を有するボルトで構成されてもよい。この場合、ボルトの軸部７０ａが、「回転軸部」として環状部１８の貫通孔４０に挿通され、軸部７４の上端部に形成された雌ねじ７６に雄ねじ７２が螺合される。さらに、上述の実施形態では、軸部１４に掘削羽１６を設けたが、掘削羽１６を省略しても軸部１４を土中に挿し込むことは可能である。
【符号の説明】
【００４３】
Ｇ…地表面、１０…ペグ、１２…固定対象物、１４…軸部、１６…掘削羽根、
１８…環状部、２０…結合部、２２…入力部、２８…回転軸部
【図１】
0006551964.tif 000002
【図２】
0006551964.tif 000003
【図３】
0006551964.tif 000004
【図４】
0006551964.tif 000005
【図５】
0006551964.tif 000006
【図６】
0006551964.tif 000007
【図７】
0006551964.tif 000008
【図８】
0006551964.tif 000009
【図９】
0006551964.tif 000010
【図１０】
0006551964.tif 000011